(57)【特許請求の範囲】
【請求項１】
一面を出光面とする導光板と、
前記導光板の前記出光面に直角な一側面である光入射面に対向配置され、前記光入射面に向けて光射出部から光を発射する光源と、
前記導光板の前記出光面に対向する裏面の側から、前記導光板および前記光源に重ねて配設される反射プレートと、
光学フィルムセットと、を有するバックライトモジュールであって、
前記光源と前記導光板とは、前記導光板の前記出光面の側においても、前記導光板の前記出光面に対向する裏面の側においても、面一になっていて、
前記導光板の前記出光面に直角な側面のうちで前記光入射面以外の面には反射塗装がなされており、
前記光学フィルムセットは、
第一プリズムシートと、
第２プリズムシートと、
拡散シートと、を備え、
前記拡散シートは、前記導光板の前記出光面の側から、前記導光板および前記光源に重ねて配置され、
前記第２プリズムシートは、前記拡散シートに重ねて配置され、
さらに、
前記第一プリズムシートは、
表示領域と、
二つの側壁と、
接合領域と、からなり、
前記表示領域が前記第２プリズムシートに重ねて配置されるとともに、
前記二つの側壁は、前記表示領域からそれぞれ下に向かって延伸して形成されており、
前記二つの側壁のうちの一方である第１側壁は、前記光源の前記光射出部の反対側に位置し、
前記二つの側壁のうちの他方である第２側壁は、前記導光板の前記光入射面に対向する側面の側に位置し、
前記第１側壁に前記接合領域が連結し、これにより収容空間を形成し、
前記反射プレート、前記導光板、前記光源、前記拡散シートおよび前記第２プリズムシートは、前記収容空間に収容され、
前記接合領域が前記反射プレートに重なり、さらに、前記接合領域は、前記第２側壁に向かって延伸し、前記接合領域と前記第２側壁とは接触して、前記接合領域と前記第２側壁とが片面テープで一緒に接着されており、
前記第１側壁および前記第２側壁の内側面には、反射層がコーティングされている
ことを特徴とするバックライトモジュール。
【請求項２】
請求項１に記載のバックライトモジュールにおいて、
前記表示領域と前記第１側壁との境界、前記表示領域と前記第２側壁との境界、および、前記第１側壁と前記接合領域との境界には、前記第一プリズムシートを折り曲げやすくするために、折れ線が設けられている
ことを特徴とするバックライトモジュール。
【請求項３】
バックライトモジュールを備える液晶ディスプレイであって、
前記バックライトモジュールは、
一面を出光面とする導光板と、
前記導光板の前記出光面に直角な一側面である光入射面に対向配置され、前記光入射面に向けて光射出部から光を発射する光源と、
前記導光板の前記出光面に対向する裏面の側から、前記導光板および前記光源に重ねて配設される反射プレートと、
光学フィルムセットと、を有するバックライトモジュールであって、
前記光源と前記導光板とは、前記導光板の前記出光面の側においても、前記導光板の前記出光面に対向する裏面の側においても、面一になっていて、
前記導光板の前記出光面に直角な側面のうちで前記光入射面以外の面には反射塗装がなされており、
前記光学フィルムセットは、
第一プリズムシートと、
第２プリズムシートと、
拡散シートと、を備え、
前記拡散シートは、前記導光板の前記出光面の側から、前記導光板および前記光源に重ねて配置され、
前記第２プリズムシートは、前記拡散シートに重ねて配置され、
さらに、
前記第一プリズムシートは、
表示領域と、
二つの側壁と、
接合領域と、からなり、
前記表示領域が前記第２プリズムシートに重ねて配置されるとともに、
前記二つの側壁は、前記表示領域からそれぞれ下に向かって延伸して形成されており、
前記二つの側壁のうちの一方である第１側壁は、前記光源の前記光射出部の反対側に位置し、
前記二つの側壁のうちの他方である第２側壁は、前記導光板の前記光入射面に対向する側面の側に位置し、
前記第１側壁に前記接合領域が連結し、これにより収容空間を形成し、
前記反射プレート、前記導光板、前記光源、前記拡散シートおよび前記第２プリズムシートは、前記収容空間に収容され、
前記接合領域が前記反射プレートに重なり、さらに、前記接合領域は、前記第２側壁に向かって延伸し、前記接合領域と前記第２側壁とは接触して、前記接合領域と前記第２側壁とが片面テープで一緒に接着されており、
前記第１側壁および前記第２側壁の内側面には、反射層がコーティングされている
ことを特徴とする液晶ディスプレイ。
【請求項４】
請求項３に記載の液晶ディスプレイにおいて、
前記表示領域と前記第１側壁との境界、前記表示領域と前記第２側壁との境界、および、前記第１側壁と前記接合領域との境界には、前記第一プリズムシートを折り曲げやすくするために、折れ線が設けられている
ことを特徴とする液晶ディスプレイ。
【発明の詳細な説明】
【技術分野】
【０００１】
本発明は、２０１５年６月２６日に提出した発明名称「バックライトモジュール及び液晶ディスプレイ装置」・申請番号２０１５１０３６４１９８．６の先願優先権を要求し、前記先願の内容は引用で本文中に合併される。
【０００２】
本発明は、液晶ディスプレイの技術領域に関し、特に、バックライトモジュール及び前記バックライトモジュールを備えた液晶ディスプレイ装置に関する。
【背景技術】
【０００３】
バックライトディスプレイ技術の絶え間ない発展とともに、液晶ディスプレイ装置（ＬＩＱＵＩＤ  ＣＲＹＳＴＡＬ  ＤＩＳＰＬＡＹ，ＬＣＤ）のようなディスプレイ装置は、ディスプレイパーツとしてすでに、携帯電話、デジタルカメラ、携帯情報端末（ＰＥＲＳＯＮＡＬ  ＤＩＧＩＴＡＬ  ＡＳＳＩＳＴＡＮＴ，ＰＤＡ）等の電子製品に幅広く応用されている。電子製品のベゼルがますます狭くなり、また、産業技術が絶え間なく進歩するにつれ、ＬＣＤ画面ディスプレイのサイズ拡大及びベゼルの薄型化はますます市場の大きなニーズとなっている。
【０００４】
バックライトモジュールは、液晶ディスプレイ装置の中で重要なパーツの一つとされ、そのベゼル化の設計も一つのトレンドとなり、狭いベゼルは、同じサイズのスクリーンにおいて見ることができる画面面積がより大きく視覚効果が優れていることを意味する。従来のバックライトモジュールは通常、導光板と、前記導光板の周囲に設けられたプラスチックフレームと、フレキシブル基盤と、光学フィルム及び遮光テープと、からなり、前記フレキシブル基盤は、前記遮光テープによって前記導光板とプラスチックフレームに固定され、前記光学フィルムは、遮光テープによってプラスチックフレームに固定される。
【０００５】
このバックライトモジュールには、少なくとも以下のような問題がある。
プラスチックフレーム自体に一定の厚みがあることにより、必然的にバックライトモジュールの厚みが増加し，さらには液晶ディスプレイ装置全体の厚みが増加してしまい、このため、市場の大きなニーズを満たすことができない。このほか、従来のバックライトモジュールが必要とするパーツは比較的多く、構造は複雑で、製造コストを増加させる。また、プラスチックフレームと導光板の組立過程はやや繁雑であり、組立の効率が悪い。
【発明の概要】
【発明が解決しようとする課題】
【０００６】
本発明は、厚みが少なく、組立過程が簡単であるなどの利点を備えるバックライトモジュールを提供することを目的とする。
【０００７】
本発明は、上記バックライトモジュール採用する液晶ディスプレイ装置を提供することを目的とする。
【課題を解決するための手段】
【０００８】
上記の目的を実現する為に、本発明の実施方式は、以下のような技術方案を提供する。本発明によるバックライトモジュールは、光学フィルムセットと、導光板と、反射プレートと、からなり、前記光学フィルムセットは、第一プリズムシートを備え、前記第一プリズムシートは、表示領域と、二つの側壁と、接合領域と、からなる。前記表示領域と前記反射プレートは向かい合って設けられ、前記側壁は、前記表示領域から下に向かって延伸して形成される。前記側壁は、前記表示領域と前記接合領域の間に連結され、これにより収容空間を形成する。前記導光板と前記反射プレートは、お互いに重なり合って前記収容空間内に設けられるとともに、前記導光板は、前記反射プレートと前記光学フィルムセットの間に配置され、前記反射プレートは、前記導光板と前記接合領域の間に配置される。
【０００９】
その内、前記表示領域と前記側壁の境界、及び、前記接合領域と前記側壁の境界には、前記第一プリズムシートを折り曲げやすくするために折れ線が設けられる。
【００１０】
その内、前記第一プリズムシートの側壁の内側には反射層がコーティングされ、前記反射層は、その表面に入射した光を前記導光板内に反射させることができる。
【００１１】
その内、前記接合領域と前記側壁の内の一つは一体の構造であるとともに、もう一つの前記側壁に向かって延伸し、前記接合領域は、前記反射プレートの底部に接着される。
【００１２】
その内、前記接合領域の数は二つあり、その内の一つの前記接合領域は前記側壁の一つに連結され、もう一つの前記接合領域はもう一つの前記側壁に連結される。前記二つの接合領域はそれぞれ、前記二つの側壁から向かい合うように延伸し、前記二つの接合領域は、前記反射プレートの底部に接着される。
【００１３】
その内、前記二つの接合領域の自由端は一つに連結され、お互いに接触する。
【００１４】
その内、前記二つの接合領域の自由端はお互いに隔てられ、それぞれ反射プレートの底部に貼り付けられる。
【００１５】
その内、前記光学フィルムセットはさらに、第二プリズムシートと拡散シートを備え、前記第二プリズムシートは、前記第一プリズムシートと前記拡散シートの間に配置され、前記拡散シートは前記導光板に貼り合わせられる。    
【００１６】
その内、前記導光板の円周方向の外側表面の一つには入光面が設けられ、残りの円周方向の外側表面には反射層がコーティングされ、前記反射層は、その表面に入射した光を導光板内に反射させることができる。
【００１７】
その内、バックライトモジュールを備え、前記バックライトモジュールは、光学フィルムセットと、導光板と、反射プレートと、からなり、前記光学フィルムセットは、第一プリズムシートを備え、前記第一プリズムシートは、表示領域と、二つの側壁と、接合領域と、からなる。前記表示領域と前記反射プレートは向かい合って設けられ、前記側壁は、前記表示領域から下に向かって延伸して形成される。前記側壁は、前記表示領域と前記接合領域の間に連結され、これにより収容空間を形成する。前記導光板と前記反射プレートはお互いに重なり合って前記収容空間内に設けられるとともに、前記導光板は、前記反射プレートと前記光学フィルムセットの間に配置され、前記反射プレートは、前記導光板と前記接合領域の間に配置される。
【００１８】
その内、前記表示領域と前記側壁の境界、及び、前記接合領域と前記側壁の境界には、前記第一プリズムシートを折り曲げやすくするために折れ線が設けられる。
【００１９】
その内、前記第一プリズムシートの側壁の内側には反射層がコーティングされ、前記反射層は、その表面に入射した光を導光板内に反射させることができる。
【００２０】
その内、前記接合領域と前記側壁のうちの一つは一体の構造であるとともに、もう一つの前記側壁に向かって延伸し、前記接合領域は、前記反射プレートの底部に接着される。
【００２１】
その内、前記接合領域の数は二つあり、その内一つの前記接合領域は前記側壁の一つに連結され、もう一つの前記接合領域はもう一つの前記側壁に連結される。前記二つの接合領域はそれぞれ、前記二つの側壁から向かい合うように延伸し、前記二つの接合領域は、前記反射プレートの底部に接着される。
【００２２】
その内、前記二つの接合領域の自由端は一つに連結され、双方がお互いに接触する。
【００２３】
その内、前記二つの接領域の自由端はお互いに隔てられ、それぞれ反射プレートの底部に貼り付けられる。
【００２４】
その内、前記光学フィルムセットはさらに、第二プリズムシートと拡散シートを備え、前記第二プリズムシートは、前記第一プリズムシートと前記拡散シートの間に配置され、前記拡散シートは、前記導光板に貼り合わせられる。    
【００２５】
その内、前記導光板の外側表面の一つには入光面が設けられ、残りの円周方向の外側表面には反射層がコーティングされ、前記反射層は、その表面に入射した光を導光板内に反射させることができる。
【発明の効果】
【００２６】
本発明の実施例は、以下のような利点や有益な効果を有する。本発明の実施例におけるバックライトモジュールでは、前記光学フィルムセットの内の第一プリズムシートを延伸させて複数の領域に分割し、第一プリズムシートを折り曲げることにより導光板と反射プレートを固定させる。これによりプラスチックフレームの技術を省き、バックライトモジュール全体の厚みが増す技術問題を解決し、前記バックライトモジュール全体の厚みを減らすことに成功し、狭いフレーム設計の技術効果を実現する。この他、本発明の前記バックライトモジュールの構造が簡単であることにより、製造コストを低下させるだけでなく、バックライトモジュールの組立過程全体をさらに簡便にし、組立効率を大きく向上させる。
【図面の簡単な説明】
【００２７】
本発明の実施例や従来の技術における技術方式をよりわかりやすく説明するために、以下では、実施例や従来技術の記述に必要な図面について簡単に紹介する。当然のことながら、以下で記述する図面は、本発明の一部の実施例にすぎず、本分野の一般の技術者は、創造性のある労働をせずとも、これらの図面をもとに、その他の図面を考えだすことができる。
【００２８】
【図１】本発明の一つ目の実施例におけるバックライトモジュール構造の概略図である。
【図２】本発明の実施例におけるバックライトモジュールの一部分を示した図である。
【図３】本発明の二つ目の実施例におけるバックライトモジュール構造の概略図である。
【図４】本発明の三つ目の実施例におけるバックライトモジュール構造の概略図である。
【発明を実施するための形態】
【００２９】
以下では、本発明の実施例における添付図と併せ、本発明の実施例における技術方案の詳細な説明を行う。当然ながら、挙げた実施例は本発明の実施例の一部にすぎず、実施例の全てではない。本発明における実施例に基づき、本分野の一般の技術者は、創造性のある労働をせずともその他の実施例を考え出すことができ、それらはすべて本発明の保護範囲とする。            
【００３０】
図１を参照する。本発明における実施例のバックライトモジュール１００は、液晶バックライトモジュールにすることができるとともに、光学フィルムセット２０と、導光板３と、反射プレート４と、からなる。前記光学フィルムセット２０は、第一プリズムシート２１を備え、前記プリズムシートの作用は光線を凝集することであり、真っすぐ見た時の明るさを向上させる。前記第一プリズムシート２１は、表示領域２１１と、前記表示領域２１１から下に向かって延伸して形成される二つの側壁２１２と、接合領域２１３とを備える。前記表示領域２１１と前記反射プレート４は向かい合って設けられ、前記側壁２１２は、前記表示領域２１１と前記接合領域２１３の間に連結され、それにより収容空間を形成する。前記光学フィルムセット２０は、前記導光板３に設けられるとともに、導光板３から射出される光線の処理を行うために用いられ、それにより、バックライトモジュール１００から射出される光線の強度をやや強く且つ均等にする。前記導光板３と前記反射プレート４は、前記収容空間の中に双方が重なり合って設けられるとともに、前記導光板３は、前記反射プレート４と前記光学フィルムセット２０の間に配置され、前記反射プレート４は、前記導光板３と前記接合領域２１３の間に配置される。さらに、前記導光板３と前記反射プレート４は、お互いに位置が揃っていることが好ましい。
【００３１】
前記第一プリズムシート２１を延伸させて表示領域２１１と側壁２１２と接合領域２１３とに分けるとともに、前記第一プリズムシート２１を折り曲げて導光板３と反射プレート４を固定することで、プラスチックフレームを省くことができる。以上により、バックライトモジュール１００の組立過程に存在する組立の隙間をなくすだけでなく、前記バックライトモジュール１００全体の厚さを薄くさせ、狭いフレームの設計を実現することができる。また、前記バックライトモジュール１００の構造が簡単であることにより、製造コストを低下させるだけでなく、バックライトモジュール１００の組立過程全体をさらに簡便にし、組立の効率を大きく向上させる。
【００３２】
さらに、図２を参照する。前記第一プリズムシート２１には、折れ線２１０が設けられる。折れ線２１０は、表示領域２１１と前記側壁２１２の境界、及び、前記接合領域２１３と前記側壁２１２の境界に設けられ、それにより、第一プリズムシート２１をさらに折り曲げやすくする。
【００３３】
さらに、図１を参照する。前記光学フィルムセット２０は、さらに、第二プリズムシート２２と拡散シート２３と、を備える。第一プリズムシート２１と、第二プリズムシート２２と、拡散シート２３は、上から下まで順番に重なり合って配列される。即ち、前記第二プリズムシート２２は前記第一プリズムシート２１と前記拡散シート２３の間に配置され、前記拡散シート２３は、前記導光板３に貼り合わせられる。拡散シート２３は、入射した光線を拡散させることで干渉現象を防止させるために用いられる。
【００３４】
（実施例１）（実施例２）
図１で示すように、本発明の実施例１において、二つの側壁は中間に向かって延伸するとともに、二つの接合領域２１３を形成し、前記二つの接合領域２１３は、それぞれ、一つの側壁と一体の構造である。即ち、二つの内の一つの前記接合領域は、前記二つの内の一つの側壁に連結され、もう一方の前記接合領域は、もう一方の前記側壁に連結される。前記二つの接合領域は、それぞれ、前記二つの側壁から向かい合って延伸し、前記二つの接合領域２１３は、前記反射プレート４の底部に接着されることで、一つの収容空間を形成する。本実施例における前記二つの接合領域２１３の自由端は、片面テープ５によって一つに連結される。本発明の実施例２において、図３で示すように、前記二つの接合領域２１３は、お互いの間が連結される必要はなく、二つの接合領域は、それぞれ、片面テープ５によって反射プレート４の底面に接着される。前記片面テープ５の一部は反射プレート４の底面に接着され、別の部分は前記反射領域２１３に接着される。
【００３５】
見てわかるように、前記接合領域２１３はさらに、両面テープ或いは熱硬化性接着剤によって反射プレート４の底部に接着される。
【００３６】
（実施例３）
図４を参照する。本発明の実施例３において、前記接合領域２１３は、二つの内の一つの側壁２１２１からもう一つの側壁２１２２に向かって延伸して形成され、接合領域２１３と側壁２１２１は一体の構造である。前記接合領域２１３と側壁２１２２は、片面テープ５で一緒に接着される。即ち、前記片面テープの一部が側壁２１２２に接着され、別の部分が前記接合２１３に接着されることにより、一つの収容空間を形成する。  
【００３７】
説明すべき点として、図４で示すように、本発明のその他の実施例において、前記バックライトモジュール１００はさらに光源１０を備え、その光源１０は前記導光板３の円周方向の外側に設けられることでバックライトを提供し、その光源から発射された光は導光板３の中へ入射する。さらに、その光源は直流電源による電力供給を採用し、且つ、より長い使用寿命と、明るい亮度等の特徴を備えることが好ましい。本実施例における光源は、冷陰極蛍光管（ＣＣＦＬ，ＣＯＬＤ ＣＡＴＨＯＤＥ ＦＬＵＯＲＥＳＣＥＮＴ ＬＡＭＰ）、熱陰極蛍光管、発光ダイオード（ＬＥＤ，ＬＩＧＨＴ ＥＭＩＴＴＩＮＧ ＤＩＯＤＥ）、電界発光（ＥＬ，ＥＬＥＣＴＲＯＬＵＭＩＮＥＳＣＥＮＣＥ）等にすることができる。具体的にバックライトモジュールまで光線が伝達する経路は、光源１０から射出された光線が導光板３に入射した後、一部の光は直接導光板３の出光面３１に達し、その他の入射した光は反射プレート４で反射された後、導光板３の出光面３１に達する。出光面３１から出た光線は順番に前記拡散シート２３と前記第二プリズムシート２２と第一プリズムシート２１に達し、最終的に表示パネルに入射する（図示せず）。
【００３８】
前記反射プレート４は、反射率の高い反射プレートを備えるのが好ましく、一定の光が射出される時にバックライトモジュール１００の真っすぐ見たときの明るさを向上させるために用いられる。説明すべき点として、図４で示すように、光漏れをさらに減少させる為に、前記導光板３における光源が設けられていない円周方向の外側の表面に、反射塗装６をコーティングし、それにより光が導光板３の縁領域から漏出するのを防止し、表示効果を向上させる。バックライトを提供する本発明の実施例において、前記反射プレート４は白色の反射プレート或いは銀色の反射プレートであり、その表面には反射層がコーティングされ、コーティングされた反射層には反射率が５０％以上の反射材料を選んで用いられ、それにより反射効果を向上させる。
【００３９】
さらに、前記導光板３は、ポリメタクリル酸メチル樹脂（ＰＯＬＹＭＥＴＨＹＬＭＥＴＨＡＣＲＹＬＡＴＥ，ＰＭＭＡ）／ポリカーボネート（ＰＯＬＹＣＡＲＢＯＮＡＴＥ，ＰＣ）を基材とし、線の光源を面の光源に変化させるために用いられる。
【００４０】
前記第一プリズムシート２１の側壁の内側には反射層（図示せず）をコーティングするのが好ましく、前記反射層は、その表面に入射した光を前記導光板内に反射させることができ、表示効果をさらに向上させる。
【００４１】
前記導光板３と前記反射プレート４、及び、前記導光板３と前記光学フィルムセット２０の間は隙間なく接触しているのが好ましく、これは前記バックライトモジュール１００全体の厚さを薄くするだけでなく、表示の品質も向上させることができる。
【００４２】
説明すべき点として、前記液晶ディスプレイ装置と前記バックライトモジュール１００は、電子ペーパー、テレビ、携帯電話、デジタルフォトフレーム、タブレット等、表示機能を備えているあらゆる製品や部品に応用することができる。
【００４３】
上記の実施例は、技術案が保護される範囲を限定しない。上記実施例の主旨と原則内において行われるあらゆる修正、同等の効果を持つ差し替えや改良などはすべて、技術案の保護範囲内に含まれるものとする。
【符号の説明】
【００４４】
１００    バックライトモジュール
２０      光学フィルム
３        導光板
４        反射プレート
２１      第一プリズムシート
２１１    表示領域
２１２    側壁
２１３    接合領域
２１０    折れ線
２２      第二プリズムシート
２３      拡散シート
５        片面テープ
２１２１  側壁
２１２２  側壁
１０      光源
３１      出光面
６        反射塗装
【図１】
0006450512.tif 000002
【図２】
0006450512.tif 000003
【図３】
0006450512.tif 000004
【図４】
0006450512.tif 000005